(57)【特許請求の範囲】
【請求項１】
散水チューブが挿入される中空部を有する変形自在のチューブ保持部材と、
前記チューブ保持部材における前記散水チューブを隔てた両側の一方に接続される第１のバンド部と、
前記両側の他方に接続される第２のバンド部と、を備え、
前記チューブ保持部材は、前記第１および第２のバンド部にて前記両側が引っ張られることで変形して非通水状態の散水チューブを拉げさせ、拉げた前記散水チューブが通水状態になると、前記散水チューブの膨張に応じて前記引っ張られる力に抗って変形することを特徴とするチューブ支持具。
【請求項２】
前記チューブ保持部材は、樹脂材料からなることを特徴とする請求項１に記載のチューブ支持具。
【請求項３】
請求項１または２に記載のチューブ支持具を用いたチューブ支持方法であって、複数のチューブ支持具が互いに間隔を空けて散水チューブにおける水流方向に直列に並ぶように、１本の散水チューブにチューブ支持具を複数取り付けることを特徴とするチューブ支持方法。
【請求項４】
屋根に載置されている前記散水チューブに対して前記チューブ支持具を取り付けることを特徴とする請求項３に記載のチューブ支持方法。
【請求項５】
前記屋根は、家屋、農業用ハウス、畜舎、または鶏舎の屋根であることを特徴とする請求項４に記載のチューブ支持方法。
【発明の詳細な説明】
【技術分野】
【０００１】
本発明は、散水チューブを固定するためのチューブ支持具に関する。
【背景技術】
【０００２】
屋根散水は、主に蒸発潜熱によって冷房効果を促す冷房法であり、夏場の家屋、農業用ハウス、畜舎等に対する省エネルギー且つ低コスト冷房法として注目されている。また、屋根散水は、比較的温暖な地域においては、冬季積雪の際の融雪手段として機能させることも可能であり、冬季積雪対策として期待されている。
【０００３】
対象となる屋根に散水する方法としてはスプリンクラーの屋根への設置等が有効であるが、スプリンクラーの設置は配管も含め高コストになるため、現状では充分に普及していない。一方、樹脂製の散水チューブを用いた屋根散水は、スプリンクラーに比べて小さな水粒子を均一散水することができるため蒸発し易く少水量で高い冷却効果が得られ、コストも安く抑えられるため、低コストの建屋冷却法として優れた手段と考えられている。
【０００４】
散水チューブを用いた屋根散水では、散水チューブを屋根に敷設（配置）するようになっている。特許文献１には、屋根に敷設される散水チューブを支持するための止め具が示されている。
【０００５】
特許文献１の止め具は、同文献の第１図〜第５図に示されるように、バンド側縁（同文献の９２等）と、可撓性片状物（同文献の１２等）と、ループ状物（同文献の２１等）とを備え、バンド側縁と可撓性片状物とによって散水チューブを挟みこむように支持する構成である。散水チューブの通水量が増加した場合、可撓性片状物は、散水チューブの膨張を損なうことなく、負勢力（弾性力）の作用によって散水チューブに当接しながら変位するようになっている。そして、可撓性片状物は、一定量以上変位すると、ループ状物によって変位が規制され、その後、散水チューブの膨張に応じて変形する。これにより、散水チューブの液体通過を妨害することなく、散水チューブを支持するようになっている。
【先行技術文献】
【特許文献】
【０００６】
【特許文献１】特開昭５７−８１８５３号公報（第１図〜第５図）
【発明の概要】
【発明が解決しようとする課題】
【０００７】
ところが、特許文献１の止め具には以下に説明する問題点がある。特許文献１の止め具によれば、バンド側縁を散水チューブの底面に密着させ、負勢力によって可撓性片状物を散水チューブの上面を当接させることで、散水チューブを挟みこむようになっている。可撓性片状物は、一方の端部側がバンド側縁と一体化されて付け根状になっているが、他方の端部側が先端状の形態である。このような形態では、比較的弱い外力によっても可撓性片状物が動いてしまう。それゆえ、例えば通水されていないことによって散水チューブが偏平状態になっている場合、強風等によって外力が散水チューブに作用すると、可撓性片状物では散水チューブを押さえつけることができず、散水チューブが揺れ動いてしまう。
【０００８】
さらに強風等の外力による散水チューブの搖動が大きい場合、チューブのバタツキによりチューブ自身が傷付いてしまう。また、散水チューブの搖動が大きいと、農業用ハウスでは、ハウスを構成しているフィルム（塩化ビニル製やポリエチレン製）が擦られたり叩かれたりして傷が生じ、これにより強度の低下、破れを誘発し、また構造上の特徴から特許文献１の止め具から散水チューブが脱落してしまうこともあり、その場合はチューブ自身および周辺フィルムの損傷をさらに拡大させることになる。また、一般家屋では、散水チューブの搖動が大きいと、屋根および散水チューブの見映えが悪くなってしまい、美観の喪失が生じる。
【０００９】
つまり、特許文献１の止め具によれば、屋外において、散水チューブの設置部に散水チューブを安定して固定させることができないという問題が生じていた。
【００１０】
本発明は、以上の問題に鑑みてなされたものであり、散水チューブを安定して固定させるチューブ支持具を提供することを目的とする。
【課題を解決するための手段】
【００１１】
上記の課題を解決するために、本発明の一態様に係るチューブ支持具は、散水チューブが挿入される中空部を有する変形自在のチューブ保持部材と、前記チューブ保持部材における前記散水チューブを隔てた両側の一方に接続される第１のバンド部と、前記両側の他方に接続される第２のバンド部と、を備え、前記チューブ保持部材は、前記第１および第２のバンド部にて前記両側が引っ張られることで変形して非通水状態の散水チューブを拉げさせ、拉げた前記散水チューブが通水状態になると、前記散水チューブの膨張に応じて前記引っ張られる力に抗って変形することを特徴とする。
【００１２】
本発明の構成によれば、散水チューブ内の通水を阻害することなく、散水チューブが通水状態および非通水状態のいずれの状態であっても、散水チューブの設置部に散水チューブを安定して押さえつける（固定させる）ことができるという効果を奏する。
【００１３】
また、本発明の構成によれば、前記チューブ保持部材を前記第１および第２のバンド部によって両側から引っ張り、この引っ張り力によって前記散水チューブを設置場所に押さえつけているのに対し、先行技術（特許文献１）の構成によれば、一端側が付け根部になっており他端側が先端部になっている可撓性片状物の負勢力によって散水チューブを押さえるようになっている（特許文献１では、プラスチック紐による引張力は撓性片状物の負勢作用に殆ど影響を与えていない）。それゆえ、本発明の構成によれば、先行技術の構成よりも強い力で散水チューブの設置場所に散水チューブを押さえつけることができ、特許文献１の構成よりも、散水チューブを安定して固定させることができる。
【００１４】
また、前記チューブ保持部材は、前記第１および第２のバンド部にて前記両側が引っ張られることで変形して非通水状態の散水チューブを拉げさせ、拉げた状態の前記散水チューブが通水状態になると、前記散水チューブの膨張に応じて前記引っ張られる力に抗って変形するような材質からなることが要求される。このような材質としては、樹脂材料、布、金網等の材料が挙げられるが、これら材料のうち、耐久性、入手容易性、コスト等に鑑みると、樹脂材料が好適である。この樹脂材料としては、ポリ塩化ビニル、ポリエチレン、ポリプロピレン、ＡＢＳ樹脂、ＡＥＳ樹脂、ポリカーボネート、変性ポリフェニレンエーテル、ポリエチレンテレフタレート、ポリブチレンテレフタレート、ナイロンの群より選ばれる少なくとも１以上の材料が挙げられる。
【００１５】
本発明の一態様に係るチューブ支持具を用いたチューブ支持方法は、複数のチューブ支持具が互いに間隔を空けて散水チューブにおける水流方向に直列に並ぶように、１本の散水チューブにチューブ支持具を複数取り付けることを特徴とする。
【００１６】
本発明の使用方法によれば、前記散水チューブを一端から他端に亘って安定して押さえつける（固定させる）ことができるという効果を奏する。
【００１７】
また、屋根に設置されるチューブは強風等によって強い力が加わることもあるが、本発明のチューブ支持方法によれば、強風等によって強い力が散水チューブに加わっても当該散水チューブを安定的に支持できる。それゆえ、屋根に載置されている前記散水チューブに対して本発明のチューブ支持具を取り付けることが好ましい。
【００１８】
なお、本発明は、以上のように、チューブによる液体噴射（散水等）がなされる屋根に利用することが好ましいが、このような屋根としては、農業用ハウスの屋根、一般家屋の屋根、畜舎の屋根、鶏舎の屋根等が挙げられるがこれらに限定されない。また、前記チューブは、屋根の頂上棟部に設置されるものでもよいし、斜面の斜面に設置されるものであってもよいし、連棟農業用ハウスの谷部に設置されるものであってもよい。
【発明の効果】
【００１９】
本発明の一態様によれば、散水チューブ内の通水を阻害することなく、チューブの設置部に散水チューブを安定して押さえつける（固定させる）ことができるという効果を奏する。
【図面の簡単な説明】
【００２０】
【図１】本発明の一実施形態に係るチューブ支持具と、当該チューブ支持具によって支持される散水チューブを模式的に示した斜視図である。
【図２】図１に示すチューブ支持具の主要部を模式的に示す斜視図である。
【図３】図２に示すチューブ支持具の構成要素であるチューブ保持部材を模式的に示す斜視図である。
【図４Ａ】図２に示すチューブ支持具および散水チューブを模式的に示した断面図であり、通水時の状態を示した図である。
【図４Ｂ】図２に示すチューブ支持具および散水チューブを模式的に示した断面図であり、非通水時の状態を示した図である。
【図５】チューブ支持具の変形例を模式的に示した斜視図である。
【図６】チューブ保持部材にバンドを融着してなるチューブ支持具を模式的に示した斜視図である。
【図７Ａ】チューブ保持部材に対して１本のバンドを繋いで構成されるチューブ支持具を模式的に示す斜視図である。
【図７Ｂ】図７Ａのチューブ支持具を、水流方向に垂直な断面で模式的に示した断面図である。
【図８Ａ】チューブ保持部材に対して１本のバンドを繋いで構成されるチューブ支持具を示す図であって、図７Ａのチューブ支持具とは異なる例のチューブ支持具を示す斜視図である。
【図８Ｂ】図８Ａのチューブ支持具を、水流方向に垂直な断面で模式的に示した断面図である。
【発明を実施するための形態】
【００２１】
以下、本発明の実施の形態について図に基づき詳細に説明する。図１は、本発明の一実施形態に係るチューブ支持具１０…によって支持される散水チューブ５０と、散水チューブ５０が敷設される農業用ハウス７０とを示す図である。図２は、図１に示されるチューブ支持具１０…のうち、チューブ支持具１０Ａを模式的に示した斜視図である。図３は、図１に示すチューブ支持具１０Ａの構成要素であるチューブ保持部材１０１を模式的に示す斜視図である。図４Ａは、図１に示すチューブ支持具１０Ａおよび散水チューブ５０を模式的に示した断面図であり、通水時の状態を示した図である。図４Ｂは、図１に示すチューブ支持具１０Ａおよび散水チューブ５０を模式的に示した断面図であり、非通水時の状態を示した図である。なお、図１および図４Ａでは、散水チューブ５０から放たれている水（散水状態）の図示が省略されているが、実際には散水チューブ５０から水が放出されているものとする（後述する図７Ａ、図７Ｂ、図８Ａ、および図８Ｂについても同様とする）。
【００２２】
図１に示すチューブ支持具１０…は、屋根散水に用いる散水チューブ５０を設置場所（屋根等）に固定し支持するためのものである。本実施形態では、チューブ支持具１０…は、図１に示すように、農業用ハウス７０の外側且つ屋根の頂上に敷設される散水チューブ５０を支持している。
【００２３】
また、図１に示すように、１本の散水チューブ（チューブ）５０に対して複数のチューブ支持具１０…が取り付けられている。散水チューブ５０に取り付けられている複数のチューブ支持具１０…は、散水チューブ５０の水流方向（図１に示す方向）に沿って直列に並んでおり、且つ、隣り合うチューブ支持具１０・１０同士で適度な間隔が保たれるように並んでいる。
【００２４】
なお、チューブ支持具１０によって支持される散水チューブ５０としては、周知、慣用されているものを用いることができる。例えば、特許文献１に示されるように、屈曲自在（変形自在）の熱可塑性樹脂フィルムからなるチューブに散水用の小孔を設けたものを用いることができる。
【００２５】
つぎに、チューブ支持具１０の構造を具体的に説明する。以下では、図１に示されるチューブ支持具１０…のうちチューブ支持具１０Ａの構造を説明する。図１および図２に示されるように、チューブ支持具１０Ａは、チューブ保持部材１０１と、チューブ保持部材
１０１に取り付けられているバンド１０２Ａ・１０２Ｂとを備えている。
【００２６】
チューブ保持部材１０１は、図１〜図３に示すように、散水チューブ５０を挿入する中空部を有する筒状部材であり、外力に応じて変形自在な低剛性体になっている。具体的には、チューブ保持部材１０１は、シート部材によって中空部を囲う形状の筒状部材であり、好ましくは樹脂材料を例えば押出成形することによって作成される。また、好ましくは、常温のヤング率が１ＭＰａ〜１００００ＭＰａ（より好ましくは１ＭＰａ〜１０００ＭＰａ）の範囲の樹脂が選択され、本実施形態のチューブ保持部材１０１として適切に使用可能な強度および変形性を発現するような適切な厚みが選択される。
【００２７】
また、チューブ保持部材１０１には、好ましい材料として、結晶性樹脂または非結晶性樹脂があり、例えば、軟質性ポリ塩化ビニル、ポリエチレン、ポリプロピレン、ＡＢＳ樹脂（アクリロニトリル‐ブタジエン‐スチレン共重合体）、ＡＥＳ樹脂（アクリロニトリル‐エチレンプロピレンゴム‐スチレン共重合体）、ポリカーボネート、変性ポリフェニレンエーテル、ポリエチレンテレフタレート、ポリブチレンテレフタレート、ナイロン等があげられるがこれらに限定されない。耐久性向上のため、チューブ保持部材１０１に耐光剤やカーボンブラックを添加してもよいし、チューブ保持部材１０１の材質を繊維補強された樹脂あるいは架橋された樹脂としてもよい。
【００２８】
また、散水チューブ５０をチューブ保持部材１０１の中空部に挿入可能なように、散水チューブ５０およびチューブ保持部材１０１のサイズが定められる。つまり、図４Ａに示すように、散水チューブ５０の水流方向に垂直な断面において、散水チューブ５０およびチューブ保持部材１０１を略円形状になるように膨張させた場合、チューブ保持部材１０１の中空部の方が散水チューブ５０よりも面積が大きくなるように、散水チューブ５０およびチューブ保持部材１０１のサイズが定められる。
【００２９】
また、図２、図３、図４Ａ、および図４Ｂに示すように、チューブ保持部材１０１においては、散水チューブ５０を隔てた両側の一方に取付部１０１Ａが形成され、散水チューブ５０を隔てた両側のうちの他方に取付部１０１Ｂが形成されている。取付部１０１Ａは、バンド１０２Ａをチューブ保持部材１０１に接続するための孔であり、取付部１０１Ｂは、バンド１０２Ｂをチューブ保持部材１０１に接続するための孔である。
【００３０】
取付部１０１Ａは、図３に示すように、互いに近接し合う一対の孔からなる。取付部１０１Ａを構成する一対の孔の各々は、筒状のチューブ保持部材１０１の外周側と内周側とを貫通する。取付部１０１Ｂも、図３に示すように、取付部１０１Ａと同様、互いに近接し合う一対の孔からなる。取付部１０１Ｂを構成する一対の孔の各々は、チューブ保持部材１０１の外周側と内周側とを貫通している。
【００３１】
図２に示すように、バンド１０２Ａは、取付部１０１Ａの一対の孔の両方を挿通してチューブ保持部材１０１の外側にて結ばれている。このようにして、バンド１０２Ａは、チューブ保持部材１０１の取付部１０１Ａに接続される（繋がれる）。同様に、バンド１０２Ｂは、図２に示すように、取付部１０１Ｂの一対の孔の両方を挿通してチューブ保持部材１０１の外側にて結ばれる。これにより、バンド１０２Ｂは、チューブ保持部材１０１の取付部１０１Ｂに接続される（繋がれる）。なお、バンド１０２Ａ・１０２Ｂとしては、一般的に農業用ハウスバンドとして市販されているものを使用（流用）する。なお、農業用ハウスバンドとは、農業用ハウスにてハウス用フィルムを固定するために使用されるバンド（紐）である。
【００３２】
また、図１に示すように、農業用ハウス７０の屋根には、散水チューブ５０の設置箇所（頂上部）を挟んで一方の側に、バンド１０２Ａを繋ぐ第１固定部８０が設けられており、他方の側に、バンド１０２Ｂを繋ぐための第２固定部（不図示）が設けられている。第１および第２固定部は、固定されており、バンド１０２Ａ・１０２Ｂを繋ぐことができる部材であればよく、例えば、ワイヤ、パイプ、金具等が挙げられる。
【００３３】
図１に示すように、バンド（第１のバンド部）１０２Ａは、チューブ保持部材１０１に接続されている側とは逆側が第１固定部８０に繋がれて固定される。また、バンド（第２のバンド部）１０２Ｂは、チューブ保持部材１０１に接続されている側とは逆側が第２固定部（不図示）に繋がれて固定される。
【００３４】
これにより、図１に示されるように、筒状のチューブ保持部材１０１は、その内側の中空部に散水チューブ５０を挿入しつつ、散水チューブ５０を隔てた両側のうちの一方には、第１固定部８０に繋がれているバンド１０２Ａが接続され、前記両側のうちの他方には、第２固定部（不図示）に繋がれているバンド１０２Ｂが接続される。そして、このようなチューブ保持部材１０１が一本の散水チューブ５０に複数個取り付けられていることになる。すなわち、散水チューブ５０は、複数のチューブ支持具１０によって第１固定部８０および第２固定部に繋がれることになり、これにより農業用ハウス７０の屋根に固定且つ支持されている。
【００３５】
つづいて本実施形態の特徴点を説明する。図１、図４Ａ、図４Ｂに示すように、チューブ保持部材１０１においては、散水チューブ５０を隔てた両側のうちの一方にバンド１０２Ａが取り付けられており、前記両側のうちの他方にバンド１０２Ｂが取り付けられている。このような構成によれば、バンド１０２Ａ・１０２Ｂによってチューブ保持部材１０１を前記両側から引っ張ると、チューブ保持部材１０１が変形して拉げられるようになっている。
【００３６】
そこで、本実施形態では、図４Ａおよび図４Ｂに示すように、（ａ）チューブ保持部材１０１が、バンド１０２Ａ・１０２Ｂに引っ張られることで変形して拉げられて、これにより非通水状態の散水チューブ５０を拉げさせ、（ｂ）拉げた散水チューブ５０に水がながれると、散水チューブ５０の膨張（復元）と共に前記引っ張られる力に抗ってチューブ保持部材１０１が変形（復元）するように、チューブ支持具１０の取り付け時にバンド１０２Ａ・１０２Ｂの張力を調整するようになっている。特に、本実施形態のように農業用ハウスに用いる場合、弾力性を有するフィルムの上面に沿うようにバンド１０２Ａ・１０２Ｂが設置されていることから、チューブ保持部材１０１、取付バンド１０２Ａ、１０２Ｂの夫々にフィルムの弾力性が反映されるため、バンド１０２Ａ・１０２Ｂの張力の調整は極めて容易である（農業用ハウスは変形可能なフィルムを張って構成されるため、農業用ハウスを形成するフィルムは弾力性を有しているのである）。
【００３７】
このような構成によれば、図４Ａおよび図４Ｂのように、通水時においては散水チューブ５０内の水の流れを阻害することなく（つまり散水に悪影響を与えない）、通水時および非通水時のいずれの場合であっても散水チューブ５０の設置部（屋根）に散水チューブ５０を安定して押さえつける（固定させる）ことができるという効果を奏する。
【００３８】
それゆえ、本実施形態の構成によれば、強風等で散水チューブ５０に外力が加わっても安定して散水チューブ５０を固定させることができる。つまり、本実施形態のチューブ支持具１０は、特に屋根散水用の散水チューブに対して好適に利用できる。
【００３９】
また、本実施形態によれば、簡易且つ低コストで散水チューブ５０を農業用ハウス７０の屋根に設置できるというメリットを有する。
【００４０】
また、本実施形態によれば、変形自在のチューブ保持部材１０１によって散水チューブ５０を支持（保持）するようになっているため、散水チューブ５０の形状にかかわらず散水チューブ５０を安定して固定させることができる。
【００４１】
[変形例]
以上の実施形態では、チューブ保持部材１０１は、樹脂を筒状に成形したものであったが、筒状に限定されるわけではない。例えば、図５に示すチューブ支持具のように、略長方形状の２枚の樹脂シート３０１Ａ・３０１Ｂからなるチューブ保持部材３０１を備えるようになっていてもよい。図５に示すチューブ保持部材３０１は、樹脂シート３０１Ａの一方の短辺と、樹脂シート３０１Ｂの一方の短辺とがバンド３０２Ａで繋がれ、樹脂シート３０１Ａの他方の短辺と樹脂シート３０１Ｂの他方の短辺とがバンド３０２Ｂで繋がれてなる形状である。このチューブ保持部材３０１においては、樹脂シート３０１Ａ・３０１Ｂの間が散水チューブ５０を挿入するための中空部になっている。
【００４２】
また、以上の実施形態では、図２に示すように、バンド１０２Ａを結ぶことによって当該バンド１０２Ａをチューブ保持部材１０１に接続しているが、図６に示すチューブ支持具のように、チューブ保持部材４０１にバンド４０２Ａ・４０２Ｂを融着するようになっていてもよいし、接着剤によって接合するようになっていてもよい。
【００４３】
また、以上の実施形態では、図２に示すようにチューブ保持部材１０１に２本のバンド（１０２Ａ、１０２Ｂ）を繋ぐ構成であるが、チューブ保持部材に繋ぐバンドは１本であってもよい。
【００４４】
例えば、図７Ａは、チューブ保持部材７０１に対して１本のバンド７０２を繋いで構成されるチューブ支持具７００を示す斜視図であり、図７Ｂは、図７Ａのチューブ支持具７００を、水流方向に垂直な断面で示した断面図である。図７Ａおよび図７Ｂに示す構成では、チューブ支持具７００において散水チューブ５５を隔てた両側の一方に取付部７０１Ａが形成され、前記両側の他方に取付部７０１Ｂが形成される。取付部７０１Ａは、図３に示す取付部１０１Ａと同じ構成（一対の孔）であり、取付部７０１Ｂは、図３に示す取付部１０１Ｂと同じ構成（一対の孔）である。取付部７０１Ａを介してチューブ保持部材７０１の下側（屋根側）から上側にバンド７０２を通しつつ、バンド７０２を取付部７０１Ａに結ぶ。また、取付部７０１Ｂを介してチューブ保持部材７０１の上側から下側にバンド７０２を通しつつ、バンド７０２を取付部７０１Ｂに結ぶようにする。このような構成では、図７Ａおよび図７Ｂに示すように、バンド７０２のうち、取付部７０１Ａと一方の固定部（取付部７０１Ｂより取付部７０１Ａに近い側の固定部）との間の部分を第１のバンド部７０２ａとし、取付部７０１Ｂと他方の固定部（取付部７０１Ａより取付部７０１Ｂに近い側の固定部）との間の部分を第２のバンド部７０２ｂとすると、第１バンド部７０２ａおよび第２バンド部７０２ｂによってチューブ保持部材７０１の両側を引っ張ることが可能になる。
【００４５】
また、図７Ａおよび図７Ｂでは、バンド７０２は、取付部７０１Ａと７０１Ｂとの間であってチューブ保持部材７０１の上側を通るようにチューブ保持部材７０１に繋がれるが、図８Ａおよび図８Ｂに示すように、取付部８０１Ａと８０１Ｂとの間であってチューブ保持部材８０１の下側を通るようにバンド８０２をチューブ保持部材８０２に繋いでもよい。
【００４６】
また、以上の実施形態では、図１に示すように、チューブ保持部材１０１に繋がれるバンド１０２Ａ・１０２Ｂは、農業用ハウス７０に設けられる第１固定部８０および第２固定部（不図示）に固定されている。しかしながら、農業用ハウス７０に設けられる第１固定部８０および第２固定部ではなく、同図に示すように農業用ハウス７０の近傍（例えば地面）にて固定されているフック（留具）７５にバンド５０２を固定するようになっていても勿論よい。
【００４７】
また、以上の実施形態のチューブ支持具１０は、農業用ハウス７０の屋根に設置される散水チューブ５０を支持するようになっているが、支持対象となるチューブは農業用ハウス７０の屋根に設置されるものに限定されない。例えば、一般家屋の屋根、畜舎の屋根、鶏舎の屋根等に設置される散水チューブに対しても適用可能である。また、散水チューブは、屋根の頂上棟部に設置されるものでもよいし、斜面の斜面に設置されるものであってもよいし、連棟農業用ハウスの谷部に設置されるものであってもよい。
【００４８】
また、チューブ保持部材１０１の材質としては、バンド１０２Ａ・１０２Ｂにて両側が引っ張られることで変形して散水チューブ５０を拉げさせ、拉げた状態の散水チューブ５０チューブに水（液体）が流れると、前記引っ張られる力に抗って変形するような材質からなることが要求される。このような材質としては、樹脂材料、布、金網等の材料が挙げられるが、これら材料のうち、耐久性、入手容易性、コスト等に鑑みると、樹脂材料が好適である。この樹脂材料としては、以上の実施形態にて説明したとおり、軟質性ポリ塩化ビニル、ポリエチレン、ポリプロピレン、ＡＢＳ樹脂、ＡＥＳ樹脂、ポリカーボネート、変性ポリフェニレンエーテル、ポリエチレンテレフタレート、ポリブチレンテレフタレート、ナイロンの群より選ばれる少なくとも１以上の材料が挙げられる。また、チューブ保持部材１０１の材質は、繊維補強あるいは架橋されている樹脂であってもよい。
【００４９】
また、以上の実施形態では、チューブ支持具に使用されるバンドとしてハウスバンドを採用しているが、特にハウスバンドに限定されるものではない。図４Ａおよび図４Ｂに示すような変形形態が実現できるように、適度の強度および弾性を有しているバンドであればよい。また、バンドは、紐状、帯状、長尺状のいずれであってもよいし、樹脂、金属のいずれの材質であってもよい。但し、農業用ハウス７０に使用する場合、ハウスフィルムにおける傷発生抑制および汚染抑制の点から、樹脂製若しくは樹脂コートされたワイヤをバンドとして用いることが望ましく、特にハウスバンドが手軽で望ましい。
【００５０】
また、散水チューブ５０には、水のみならず、薬剤、洗剤等の液体が流されるようになっていても勿論よい。
【００５１】
また、バンド１０２Ａ・１０２Ｂによる張力によって通水時に散水チューブ５０が閉塞されて水流が阻害されてしまう事を抑制するために、散水チューブ５０に作用する前記張力を分散させつつ散水チューブ５０を面状に抑えて固定するようになっていることが好ましい。さらに、チューブ保持部材１０１に覆われてしまう散水孔を極力少なくすべきである。これらの点を実現するために、水流方向（図１参照）のチューブ保持部材１０１の長さと、隣り合うチューブ保持部材１０１同士の間隔とは、適度なサイズに設定される。例えば、水流方向のチューブ保持部材１０１の長さを１ｃｍ〜３０ｃｍに設定し、隣り合うチューブ保持部材１０１同士の間隔を、５０ｃｍ〜２０ｍの長さに設定することが好ましい（但し、これらの値に限定されるものではない）。
【００５２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５３】
本発明は、液体が流れるとともに当該液体を噴射させるチューブを、当該チューブの設置箇所に固定するためのチューブ支持具に利用可能である。特に、農業用ハウスの屋根に設置される散水チューブに好適である。
【符号の説明】
【００５４】
１０      チューブ支持具
１０Ａ    チューブ支持具
５０      散水チューブ
７０      農業用ハウス
１０１      チューブ保持部材
１０２Ａ    バンド（第１のバンド部）
１０２Ｂ    バンド（第２のバンド部）
７０２      バンド
７０２ａ    第１のバンド部
７０２ｂ    第２のバンド部
【図１】
0006289316.tif 000002
【図２】
0006289316.tif 000003
【図３】
0006289316.tif 000004
【図４Ａ】
0006289316.tif 000005
【図４Ｂ】
0006289316.tif 000006
【図５】
0006289316.tif 000007
【図６】
0006289316.tif 000008
【図７Ａ】
0006289316.tif 000009
【図７Ｂ】
0006289316.tif 000010
【図８Ａ】
0006289316.tif 000011
【図８Ｂ】
0006289316.tif 000012